(57)【特許請求の範囲】
【請求項１】
上向きに開いた容器（１）、該容器（１）の上部閉鎖部材（Ａ），食品の第１の成分のための該容器（１）の収容室（２）、および容器（１）と一体に構成され、該食品の第１の成分と混合される食品の他の成分のために用いられる少なくとも１つの追加の収容室（３）からなり、当初は密封されている該追加の収容室（３）が、可動部材（１３、１４）を有し、該可動部材（１３、１４）が、ユーザによって容器（１）の外から動かされ、収容室（２）と追加の収容室（３）との間の連通路を実現し、それにより、収容室（２）内に位置する食品の第１の成分と，追加の収容室（３）から来た食品の他の成分との混合が可能となる、食品用使い捨てパッケージであって、
該容器（１）は、その底壁（８）から該容器（１）の上部閉鎖部材（Ａ）に向かって垂直に伸びる円筒形状の壁（９）及びその下側延長部（１１）を有し、
該追加の収容室（３）は、可動底部（１３）と可動栓（１４）からなる可動部材（１３、１４）を備え、
該可動底部（１３）は、該壁（９）の下側延長部（１１）にヒンジ（１５）により結合され、可動栓（１４）の軸棒（１７）を固定するための環状リブ（１６）を備え、かつ外部からの操作により、該食品の第1の成分と該食品の他の成分との混合が行われる前の下向きに凸状である第1又は休止位置から、該食品の両成分の混合が行われる上向きに凸状である第２又は最終位置へ変形可能であり、該変形の間に、該可動底部（１３）が可動栓（１４）を該壁（９）に沿って垂直方向に押し上げるように作用し、
該可動栓（１４）は、該壁（９）に沿って摺動する略円筒形状であり、内部に該食品の他の成分を収容するための空間を備え、側面窓及び円形の蓋（２１）を有し、該可動栓（１４）の蓋部及び下部の外周面には互いに平行は２つの環状溝が設けられ、及び該壁（９）上端の内周面には内側向き環状突起が設けられ、可動栓（１４）が可動底部（１３）の作用により最終位置に到達した状態で、可動栓（１４）の下部環状溝と該壁（９）の環状突起が係合することにより、可動栓（１４）は、該壁（９）から分離せず、かつ該側面窓全面が該壁（９）上端より上に突出することにより、収容室（２）と追加の収容室（３）との間に水平方向の連通路を形成し、該装置は容易に組み立て可能な、容器（１）、可動栓（１４）及び上部閉鎖部材（Ａ）の３つの部品のみで構成されることを特徴とする使い捨てパッケージ。
【請求項２】
前記上部閉鎖部材（Ａ）が，例えばプラスチック材料からなるフィルムである請求項１に記載の使い捨てパッケージ
【請求項３】
食品の第１の成分のための使い捨てパッケージと、食品の第２の成分のための密閉された別体容器（２４）との組み合わせ品であって、
使い捨てパッケージは、上部閉鎖部材と下部閉鎖部材、及び該成分が互いに混ぜられる食品の第１の成分のための収容室（２）とその底部（８）に該密封された別体容器（２４）への接続のためのスリーブ状の接続孔（１１’’）を設けた容器（１）を有し、
当初は、密封された別体容器（２４）が、ユーザによって容器（１）の外から動かされる可動部材（１３’、１４）を有し、該下部閉鎖部材を取り除き、密閉された別体容器（２４）を接続孔（１１’’）に物理的に接続し、該収容室（２）と別体容器（２４）自身によって画定される追加の収容室（３）との間に連通路が実現される組み合わせ品であって、
該別体容器（２４）は、該接続孔（１１’’）に接続されて、上方に向かって垂直に伸びる円筒形状の壁（９’）及びその下側延長部（１１’）を形成し、更に可動底部（１３’）と可動栓（１４）からなる可動部材（１３’、１４）を備える追加の収容室（３）を有し、
該可動底部（１３’）は、該壁（９’）の下側延長部（１１’）にヒンジ（１５’）により結合され、可動栓（１４）の軸棒（１７’）を固定するための環状リブ（１６’）を備え、かつ外部からの操作により、該食品の第1の成分と該食品の他の成分との混合が行われる前の下向きに凸状である第1又は休止位置から、該食品の両成分の混合が行われる上向きに凸状である第２又は最終位置へ変形可能であり、該変形の間に、該可動底部（１３’）が可動栓（１４）を該壁（９’）に沿って垂直方向に押し上げるように作用し、
該可動栓（１４）は、該壁（９’）に沿って摺動する略円筒形状であり、内部に該食品の他の成分を収容するための空間を備え、側面窓及び円形の蓋（２１’）を有し、該可動栓（１４）の蓋部及び下部の外周面には互いに平行は２つの環状溝が設けられ、及び該壁（９’）上端の内周面には内側向き環状突起が設けられ、可動栓（１４）が可動底部（１３’）の作用により最終位置に到達した状態で、可動栓（１４）の下部環状溝と該壁（９’）の環状突起が係合することにより、可動栓（１４）は、該壁（９’）から分離せず、かつ該側面窓全面が該壁（９’）上端より上に突出することにより、収容室（２）と追加の収容室（３）との間に水平方向の連通路を形成することを特徴とする組み合わせ品。
【請求項４】
上部および下部閉鎖部材が、例えばプラスチック材料のフィルムで形成され、下部フィルムが接続孔（１１’’）を閉鎖している請求項３に記載の組み合わせ品。
【請求項５】
可動底部（１３'）が前記２つの位置にあるとき、前記環状溝と前記環状突起（１９ａ'、１９ｂ'、２０'）の係合によって、可動栓（１４）と別体容器（２４）の壁（９'）との間の固定がなされる請求項４に記載の組み合わせ品。
【請求項６】
容器（１）が、プラスチック材料で一体に形成されている請求項３乃至５のいずれか１項に記載の組み合わせ品。
【請求項７】
別体容器（２４）は、該別体容器（２４）の壁（９’）の下側延長部（１１）がスリーブ状の接続孔（１１’’）に圧入されることによって、容器（１）のスリーブ状の接続孔（１１’’）内の同軸位置に保持される請求項３に記載の組み合わせ品。
【請求項８】
容器（１）の下部が、食事用器具類や、例えばナプキンや食品添加物などの付属品を収容するための凹所（１０）を有し、例えばプラスチック材料からなる下部閉鎖フィルムを有している請求項３乃至７のいずれか１項に記載の組み合わせ品。
【請求項９】
別体容器（２４）の壁（９'）の下部延長部分（１１’）が、該別体容器（２４）の容器（１）内への挿入時に該別体容器（２４）の挿入行程を停止させるためのストッパとして機能するフランジを有し、容器（１）と別体容器（２４）との間の固定が、前記別体容器（２４）の壁（９’）の下側延長部（１１’）の外周面に設けられた環状の突起と、前記容器（1）のスリーブ状の接続孔（１１’’）の内周面に設けられた環状の溝の係合によってなされる請求項７に記載の組み合わせ品。
【発明の詳細な説明】
【技術分野】
【０００１】
本発明は、食品パッケージの分野に関し、すぐに食べられるように、あるいはすぐに調理できるようにされた食品および使用する前に混ぜられ、２つ以上の成分からなる食品を収容するよう設計されたパッケージに関する。
【０００２】
例えば、本発明は、野菜とドレッシング、パスタとソースまたはグレイビーソース、パン粉と溶き卵（オムレツを作るため）、肉または魚とパン粉の衣（フライ料理を作るため）などを混ぜるために用いることができる。
【０００３】
したがって、本発明は、最終ユーザ、すなわち食品を実際に口にする人に便利なだけでなく、レストランの調理場や家庭内において、一連の調理（例えばフライや電子レンジでの調理など）に先立つ食品の準備を容易にあるいは迅速にするために用いることができる。
【背景技術】
【０００４】
現在、家庭内および家庭外の両方で使用される調理済み食品用パッケージとして、様々な種類のものが知られている。
【０００５】
これらの種類のパッケージは、お椀のように上方が開いているプラスチック製の容器（入れ物）を備えており、セロハンの密封フィルムなどで完全に包装されている。
【０００６】
容器は、味付けがなされる第１の食品成分のための収容室を少なくとも１つ有し、ソースなどが入った小さい袋（小袋）のための第２の収容室を少なくとも１つ有する。
【０００７】
外側の密封フィルム（あるいは容器の上カバー）を取り除いたユーザは、利用できる１つまたは複数の小袋を各収容室から取り出して開け、中身を味付けされる食品が入っている収容室に注ぐ。
【０００８】
このような食品用パッケージの問題点は、ちょっとした不注意で小袋の中身を衣服やその他の物にかけてしまう点にあり、したがって、この作業は不便であり不衛生である。
加えて、通常は、味付けされる食品が各収容室（パッケージの容積の大部分を構成している）の容積の全体を占めている（空間の最適化のため）ため、食品（例えばサラダ）の味付け作業を、すでに開けてあるパッケージの外に食品を注いで（散らして）しまうことなく行なうことは、不可能ではないかもしれないがかなり困難である。
【０００９】
ＥＰ０  ７９０  １９０（請求項１に関して最も近い従来技術）は将来混合する成分を分離して保管する容器を開示しており、そこでは混合されるとそれらの成分が急速に変化するので、これら成分は混合される直前まで別々に保管される必要がある。
混合物は化粧品、写真材料、または薬品から構成されているとされている。
【００１０】
容器は栓で封じられ、混合の第１成分を含む中央収容室および第２成分を含み、栓の上方に配置された第２の（より大きい）収容室を含んでいる。栓はユーザが容器の外側から指で可動部を押したとき、その位置から取り外される。
【００１１】
この解決方法は栓が側方の開口を有しておらず、またその位置から完全に取り外されるという点で該発明とは異なっている。
【００１２】
ＵＳ４，７９３，４７６（請求項１１に関して最も近い従来技術）は成分がまだ濃縮されていて潜在的に危険なときに、その成分を大気に露出することなく、農薬、除草剤、殺菌剤、または他の有毒な成分を溶媒のような液体に調剤することができる装置を開示している。この問題の解決方法は溶媒の稀釈容器と有毒成分のための別の密封された（２部から構成された）容器を用いて得られている。
【００１３】
この装置は、ガイド溝に突起部を位置合わせしながら別の容器を稀釈容器の外装部に挿入し、引き続いて容器を回転しながら容器の密封を取り除き、成分を溶媒の中に開放するので、操作が困難である。密封の取り除かれた部分が溶媒と成分の混合物の中に混合されるが、封じが間違って飲み込まれる恐れがあるのでこのことはこの米国特許の教示の２つの食品混合への適用を除外している。
【発明の開示】
【発明が解決しようとする課題】
【００１４】
したがって、本発明の目的は、食品の種々の成分を衛生的かつ効率的に混ぜ合わせることのできる食品用パッケージを提供することにある。
【課題を解決するための手段】
【００１５】
前記目的は、独立請求項１により、食品用使い捨てパッケージによって達成されるが該食品用使い捨てパッケージは、上方が開いている容器１と、容器１の上部閉鎖部材Aと、食品の第１成分のための容器１の収容室２と、および容器１と一体化されているかまたは容器１に取り外しできないように固定されている少なくとも１つの追加の収容室３を有しており、
そして該追加の収容室３は前記第１の成分に混ぜられる食品の追加成分のために使用され、該追加の収容室３は最初密封され、容器１の外からユーザによって動かされる可動部材１３，１４を有し、収容室２と該追加の収容室３の間に連通路を実現し、それによって収容室２の中に収容されていた第１の食品成分を追加の収容室３からの追加食品成分と混ぜることを可能にし、
該可動部材が該追加の収容室３の底部１３によって形成され、ヒンジ１５によって収容室３の壁面９に接続され、
該底部１３が第１の-または休止-位置と第２の位置の間を移動可能であって、第２の位置へ移動の際に底部は、追加の収容室３の壁面にそって摺動する可動栓１４に作動し、
可動底部１３が第２の位置にあり、該栓１４が第２の最終位置に到達したときに、自身は収容室３の壁面９から外れることなく、該栓１４は収容室２と追加の収容室３間の連通路を生じる側面の開口を有していることを特徴とする食品用使い捨てパッケージである。
【００１６】
前記の目的は、また独立請求項１１によって、食品の第１の成分のための使い捨てパッケージと、食品の第２の成分のための別体の密封容器２４との組み合わせによって達成されるが、該パーケージは上部閉鎖部材および下部閉鎖部材を有する容器１と、その中で前記成分同士の混合が行われる食品の第１の成分のための収容室２と、別体の前記密封容器２４への接続のための接続孔１１“を有し、
最初は密封された容器２４はユーザによって動かされる可動ピストン状部材１３‘，１４を有
し、下部遮蔽部材を取り除き、別体の密封容器２４を接続孔１１“に物理的に接続し、最後に前記可動部材１３‘，１４を動かした後に、前記収容室２および追加の別体の密封容器２４自身によって画定される収容室３の間に連通路を実現するパッケージであって、
前記可動部材は前記追加の収容室３の底部１３‘で構成され、ヒンジ１５’によって前記収容室３の壁面９‘に接続されており、前記底部１３‘が第１の-または休止-位置と第２の位置の間を移動可能であり、そして第２の位置へ移動の際に底部は、前記追加の収容室３の壁面にそって摺動する可動栓１４に作動し、可動底部１３‘が第２の位置にあるときに、前記栓１４は収容室２と追加の収容室３の間の連通路を生じる側面の開口を有しているパッケージである。
【００１７】
独立請求項５に定義されているように、前記可動部材が、前記追加の収容室の密封手段を破るように設計することが可能であり、例えば、前記追加の収容室の密封プラスチック／アルミニウムフィルムを破るべく設計された斜めの上端部を有する押し棒または尖頭棒を構成することが可能である。
【００１８】
尖頭棒または押し棒は、プラスチックの成型工程にて容器と一体に形成するのが好ましい。
【００１９】
押し棒は、ソースやドレッシングなどが追加の収容室から流出しやすくなるよう、軸方向の通路を有している。
【００２０】
本発明の利点は、本発明の好ましい実施の形態についての詳細な説明によって明らかになるであろう。
【００２１】
従属項である請求項２〜４、６〜１０、１２〜１８は発明の特定の追加的特徴を定義している。
【図面の簡単な説明】
【００２２】
本発明および本発明に特有の利点を、添付の図面を参照して説明するが、この説明はあくまで例示を目的とするものであり、本発明を限定する目的ではない。
【図１】請求項１の実施の形態に対応する本発明の不等角投影図であり、上部密封フィルムまたはカバーは除かれ、栓は開放位置にある。
【図２】図１と同様の図であり、栓は閉鎖位置にある。
【図３】図１および図２に示した本発明の縦断面を示した図であり、栓は示されていない。
【図４】４ａと４ｂは請求項１１に対応する実施の形態による本発明の縦断面図である。
【図５】図３の容器の中央部分の詳細を示した図であり、栓は閉鎖位置にある。
【図６】図５と同様の図であり、栓は開放位置にある。
【図７】図１のパッケージの下側を示した不等角投影図である。
【図８】請求項５による実施例を示すパッケージの断面不等角投影図である。
【図９】図８に示したパッケージの縦断面を示した概略図である。
【図１０】図９に類似した縦断面の概略図であるが、追加の収容室がパッケージの側方ではなく中央に配置されている。
【図１１】ドレッシングなどを収容している追加の収容室の縦断面図であり、図９および１０を拡大した図である。
【図１２】図１１に類似した図であり、押し棒を使って密封フィルムを破って裂く様子を示した図である。
【発明を実施するための最良の形態】
本発明を図１〜７を参照して説明する。
【００２３】
次に、独立請求項５に記載されている実施の形態を、図８〜１２を参照して説明する。
【００２４】
本発明をより容易に理解できるよう、パッケージの同一の構成要素には、すべての図において同じ参照番号を用いた。
【００２５】
パッケージは、容器１からなることが必須であり、容器１は、例えばプラスチックの成型工程から得られる。
【００２６】
容器１の構成は、それぞれ参照番号２および３で示されている２つの別個の収容室をもたらすようなものである。
収容室３は、中央に位置し、円筒形状を有しており、収容室３を囲んでいるより大きい収容室２は、一致する数枚の面を持つ実質的に角柱状の多角形形状を有している。
収容室の形状がこれらに限られるものではないことは明らかであり、また収容室３の位置についても同様であるが、収容室３に収容された食品成分を、別の食品成分を収容している収容室２内により均一に分配するためには、図示した位置が好ましい。
【００２７】
容器１は、
・例えば熱シール、超音波溶着、接着剤、あるいは容器１の上部開放部分を封じるのに適した他の可能な封止方法によって、密封フィルム（図示せず）が張りつけられる上部フランジ４、
・多角形の横断面を有する切子面（または表面）を有し、下部の環状突出部６−図７で 確認できる−で終わる側壁５、
・第２の密封フィルムが公知のいずれかの封止方法によって張りつけられる（図示せず）環状の下部平面７−前記突出部６上に形成されている−、
・環状突出部６の内側上端から円筒壁１１（図４ａでは１１”）へ延びる底壁８、
・栓１４を動かすために用いられ、栓１４が円筒壁９（または９'）によって形成される「穴」の内側を摺動するときに凸状となるように、（厚さが減らされている）ヒンジ１５（図４ａでは１５'）によって収容室３の円筒壁１１（または１１'）に接続されている可動な底部１３（図４ａでは１３'）から形成される。
【００２８】
さらに、（例えばプラスチックの）食事用器具類、その他の付属品類（例えばナプキン）または食品添加物を、環状の凹所１０に入れることができ、環状突出部６の環状の平面上に張りつけた前記フィルム（図示されていない）によって、下方から保持することができる（図７）。
ここまでの説明は、請求項１の実施の形態および請求項１１の実施の形態の両方にあてはまるが、以下では、まず、請求項１の実施の形態を詳細に説明する。
【００２９】
この第１の実施の形態においては、容器１は（例えば成型プラスチックで）一体に形成されている。
【００３０】
しかしながら、栓１４は（例えばプラスチックの）別部品を構成している。
【００３１】
図５および図６の詳細図に示されているので、図３においては、図面を簡潔にしてわかりやすくするため、栓１４が省略されていることを強調しておかなければならない。
【００３２】
ユーザがパッケージを購入したとき、実際には、栓１４（図２および５に示した閉鎖位置にある）、上側すなわち上部環状フランジ４上に張りつけられたフィルム（あるいは、やはり図では省略されているが、取り外せるカバー）、および下側すなわち突出部６の環状平面７上に張りつけられたフィルムがパッケージに含まれている。
【００３３】
本発明によるパッケージの構造および作用（使用法）をよりよく理解するため、特に図５および６を参照する。
【００３４】
これらの図は、容器１の中央部分だけを示した縦断面図であり、特に、ソースまたはドレッシングを収容する収容室３の円筒壁９、該円筒壁の下部延長部分１１、円環状ヒンジ１５、および底部壁８の一部分が示されている。
また、栓１４が収容室３内に（図５の初期休止位置に）挿入されており、収容室３の鉛直円筒壁９の内面と摺動可能に係合している。
【００３５】
栓１４を動かすための可動底部１３は、中央に円筒形リブまたは円環状部分１６を有しており、該円筒形リブまたは円環状部分１６は、可動底部１３上に一体に形成されている。
前記環状リブ１６は、栓１４の軸棒１７の下部を（例えば圧入によって）受けている。
さらに、栓１４は、互いに平行である２つの環状の周溝１９ａ、１９ｂを有しており、栓１４が閉鎖位置（図５）にあるとき上側の溝１９ａと係合し、栓１４が開放位置（図６）にあるとき下側の溝１９ｂと係合するよう、円筒壁９の上端には、周溝１９ａおよび１９ｂの形状と対になる環状のビードまたは突起２０が（内側に向かって）設けられている。
【００３６】
栓１４の正確な構造は、図５および６の他に、図１からも判断できる。
栓１４には、フランジつき円板２１の形状をした部分があり、この部分の環状フランジ１８が、栓１４が閉鎖位置（図５）にあるとき、円筒状の垂直壁９の上部に当接している。
さらに、栓１４は、小さな棒の形状とされた垂直部材２２を有しており、該垂直部材は、フランジつき円板と一体であり、フランジつき円板２１の面と垂直に下方に向かって伸びている。
垂直小棒２２の下端は円筒形リング２３で終わっている。
栓１４は、部材２２および２３の外表面により、円筒状垂直壁９の内面に沿って摺動することができる。
【００３７】
さらに、栓１４の複数の垂直小棒２２が、栓１４の上部を構成しているフランジつき円板２１の周縁に沿って、等しい角度間隔で配置されていることに気づくかもしれない。
すなわち、図１にはっきりと見えるとおり、小棒２２が同一寸法を有する複数の「窓」を画定しており、栓１４が開放位置（図１および６）にあるとき、この「窓」によってソースまたはドレッシングは収容室３から流出できる。
図１では、小棒２２は互いに９０°の間隔である。
【００３８】
図１〜３および５〜７に示したパッケージのユーザは、最初に下側のフィルムを取り除き、それから可動底部１３をパッケージ内に向かって内側へと押す。
可動底部が軸棒１７を介して栓１４を持ち上げると同時に、可動底部１３の直上の収容室３内に収容されているソースまたはドレッシングを持ち上げる。
この操作の際、栓１４の休止位置（図５）において封止を実現し、ソースまたはドレッシングが収容室２へと漏れないようにしている環状の突起２０が、上側の環状溝１９ａから外れる。
栓１４の上昇位置、すなわち摺動行程の終わりの位置において、環状の突起２０は、栓１４の第２の（下側の）環状溝１９ｂと係合し、再び封止が実現されるので、ソース類は、垂直小棒２２の間に区画された窓を通ってのみ、流れ出ることができる。
栓１４が図６に示した位置にあるとき、可動底部１３は上方に凸の形状を有することになる。
【００３９】
ここまでの説明で、用語「上側」および「下側」、ならびに「上方に」や「下方に」は、例えば図１および２に示されたパッケージの（したがって容器１の）向きに該当するものとする。
【００４０】
ソースやドレッシングやパン粉などが、小棒２２の間に形成された「窓」または開口を通って完全に流れ落ちるように、ユーザは、カバー（あるいは上側フィルム）を外さずにパッケージを引っくり返す。
その後、ユーザは、例えばサラダにドレッシングが完全かつ均一にかかるように、パッケージを振り動かす。
【００４１】
この時、食品（例えばサラダ）が、そのまま食べられるものである場合、ユーザは単に上側の密封フィルムまたは上側のカバーを取り除けばよく、収容室２をそのままお椀として使用することができる。
【００４２】
一方、食品がフライに調理されなければならない場合は、ユーザ（この場合は料理人）は、上側フィルムをはがし、中身をフライパンなどに入れなければならない。一方、電子レンジの場合には、容器１を調理用の容器としてそのまま利用することができるであろう。
【００４３】
以上のとおり、本発明の目的が完全に達成されることがわかるであろう。
【００４４】
特に、味付け作業が完了するまで上側のフィルムが取り除かれないので、調味料を容器１の外へと流してしまうことはありえない。
さらに、従来技術の薬味袋（小さな袋）は完全に不必要であり、収容室２内の空間をよりうまく活用することができる。
次に、図１，２、４ａ、４ｂおよび７を参照し、独立請求項１１に記載の本発明のパッケージの実施の形態を説明する。
【００４５】
図４ａおよび４ｂに示した第２の実施の形態において、収容室３は、別体の容器２４（あるいは「カートリッジ」）によって構成され、該別体容器２４が、別体容器２４の外径とほぼ等しい内径を有する容器１の中央の穴へと挿入、すなわち圧入される。
該別体容器は、図では密なハッチングで示されており、下方への延長部分１１'を備えた円筒壁９'を有しており、容器１のスリーブ１１”内へと挿入される。
図４ａおよび４ｂの詳細図から、下方への突出部１１'が、下端にフランジを有し、さらに、対応する部品同士を互いに係止するため、固定具として機能する環状の突出部（突起）を有していることがわかるであろう。
該フランジが、容器１内へと向かう別体容器２４の動きを止めるためのストッパとして機能することは明らかである。
栓１４は、（図４ａおよび４ｂに示す初期休止位置において）カートリッジ２４内に位置しており、収容室３の円筒垂直壁９'と摺動可能に接している。
【００４６】
栓１４を動かすための可動底部１３‘は、中央に円筒形のリブあるいは円環状の部分１６’を有し、該円筒形のリブあるいは円環状の部分１６‘は、カートリッジの可動底部１３上に一体に形成されている。
前記環状リブ１６'は、栓１４の軸棒１７'の下部を（例えば圧入によって）受けている。
また、栓は、互いに平行な２つの環状の周溝１９ａ'、１９ｂ'を有し、一方、円筒壁９'の上端は、周溝１９ａ'および１９ｂ'の形状と対になる（内側向きの）突起２０を有しており、栓１４が閉鎖位置（図４ａおよび４ｂ）にあるとき上側の溝１９ａ'内に収まり、栓１４が開放位置（図２に示す）にあるとき下側の溝１９ｂ'内に収まるようにされている。
【００４７】
栓１４の正確な構造は、図４ａおよび４ｂの他、図１からも判断できる。
栓１４は、フランジつき円板２１'の形状をした部分からなり、この部分の環状フランジ１８'が、栓１４が閉鎖位置（図４ａおよび４ｂを参照）にあるとき、カートリッジまたは別体容器２４の円筒状の垂直壁９'の上部に当接している。
さらに、栓１４は垂直部材２２'を有しており、該垂直部材２２'は、小さな棒状であり、フランジつき円板２１'の面と直行する方向で下方に伸びており、フランジつき円板と一体である。
垂直小棒２２'の下端は円筒形リング２３'で終わっている。
栓１４は、部材２２'および２３'の外表面によって、別体容器２４の円筒状垂直壁９'の内面に沿って摺動することができる。
【００４８】
さらに、栓１４の複数の垂直棒２２'が、栓１４の上部を構成しているフランジつき円板２１'の周縁に沿って、等しい角度間隔で配置されていることに気づくかもしれない。
すなわち、図１にはっきりと見えるとおり、小棒２２'が同一寸法を有する複数の「窓」を形成しており、栓１４が開放位置（図１）にあるとき、該「窓」によって調味料／ドレッシングなどが収容室３から流出できる。
【００４９】
この解決策によれば、最終ユーザは、それぞれ栓１４によって密封された別体容器２４を独立して購入し、希望する種類の調味料やドレッシングなどを収容することにより、好みの調味料／ドレッシングを自由に選択することができる。
【００５０】
その後、パッケージを引っくり返して下側の密封フィルムを取り除き、円筒形のスリーブ１１”によって規定される容器１の穴に、（それぞれ栓１４によって密封されている）別体容器２４を挿入する。
それから、ユーザは、単に可動底部１３'を内側に向かって、容器１の内側へと押し、パッケージを振り動かせばよい。
【００５１】
この解決策でも、上側の密封フィルム（あるいはカバー）は最後の工程、すなわち作業の最後で取り除かれるので、調味料などがパッケージの外に漏れることがない。
【００５２】
本発明を、あくまで例示を目的として、好ましい実施の形態を参照しつつ説明した。
当業者であれば、本発明の保護範囲の中で様々な変更を考えつくことができるのはいうまでもない。
【００５３】
例えば、収容室３の数は１個には限られず、調理時まで別々の状態にしておく必要がある成分が３つ以上あり、これらを食品の調理のために混ぜ合わせる必要がある場合など、必要に応じ、より多くの収容室を設けることもできる。
【００５４】
請求項５による実施の形態を説明する。
【００５５】
請求項１および５による実施の形態は、収容室３が（容器1に挿入されるカートリッジ24とは対照的に）別部材を構成しておらず、容器に外れないようにつながっている点で類似している。
【００５６】
図８〜１０を参照すると、本発明のパッケージは、１つの容器１ａからなることが必須であり、該容器は、例えばプラスチックの成型工程によって製造される。容器１ａの構成は、それぞれ参照番号２ａおよび３ａで示される２つの別個の収容室をもたらすようなものである。
第１の収容室２ａは、第２の収容室３ａよりもサイズが大きく、調理済みの食品（図８ではハッチングで概略的に示されている）を収容しており、一方、第２の収容室３ａは、第１の収容室２ａに調味料やドレッシングなど（同様に、図８ではハッチングで概略的に示されている）を導入するために用いられる。
【００５７】
すなわち、容器１ａは、円筒状の外形を有する小さいお椀あるいは小さいお盆を形成しており、内側に第２の円筒体を有し、該円筒体がドレッシングや調味料などのための収容室３ａをもたらしている。
【００５８】
容器１ａが、成型工程にて適当に形作られたプラスチックの薄い壁によって形成されており、該薄い壁が、容器１ａの底部８ａにおいて水平であり、円筒形の外壁５ａおよび内側のドレッシング収容室３ａの円筒壁９ａにおいて垂直であることを記しておかねばならない。
【００５９】
円筒状の薄い壁９ａが上方に向かって伸びているが、その高さは外側の円筒壁５ａよりも低くされており、さらにその後、円筒状の薄い壁９ａは、下方に向かって伸びて一種の「井戸」を形成しており、後者によってドレッシングや調味料やパン粉などを収容する収容室３ａがもたらされている。
収容室３ａは、内側が空洞である押し棒または尖頭棒１４ａを中央に有しており、該押し棒または尖頭棒１４ａもまた、前記プラスチック成型材料の薄い壁からできている。このように、容器１ａは本当にただ１つのプラスチックの一成型片からできており、前述の構造を有する１枚の薄い壁からなっている。
【００６０】
すなわち、押し棒１４ａは、錐体の錐台のような形状の部材を形成しており、内側が中空（行き止まりの穴１４ｂを参照）であり、前記のひとつながりの薄い壁によって形成されている。
押し棒１４ａが存在するため、図８に明らかなように、調味料は−収容室３ａ内で−環状で略円筒状の領域を占めることになる。
調味料収容室３ａの底部１３ａは、ふくらんだ形状であり、両矢印Ｆで示されているとおり、調理済み食品の収容室２ａの底部８ａよりも高い位置にある。
【００６１】
この理由は、後述する。
【００６２】
この実施の形態においても、密封フィルム１４ｃが収容室３ａの上側に設けられ、−環状の段差２０ａ上に−横方向に張られているため、調味料類は調理済み食品とは独立して貯蔵される。
さらに、容器１ａの上端は、容器１ａを一時的に気密に閉じるフィルムＡで、あるいはプラスチックなどで作られた取り外し可能なカバーで密封される。
【００６３】
図８および９と図１０とは、調味料のための収容室３ａの位置についてのみ相違し、図８および９では、この収容室３ａが容器の底部８ａに対して側方に位置しているが、図１０に示した異形では、収容室３ａが容器の底部８ａに対して中央に位置している。
【００６４】
この例においても、本発明の目的とするところは、その使用方法について述べた以下の説明により即座に理解できる。
【００６５】
未だパッケージが密封されている状態、すなわち容器１ａの上部から密封フィルムＡを取り外す前に、ユーザは調味料収容室３ａの底部１３ａを手で押し、図１２に示すように、この内側の収容室３ａの位置において、容器の薄い壁を変形させる。
【００６６】
その結果、押し棒１４ａが持ち上げられ、内側の収容室３ａの封止フィルム１４ｃを最終的に突き破る。
ユーザは、調味料やドレッシンッグが、ドレッシングをかけようとする食品（サラダやその他の野菜など）を収容した収容室２ａ内に向かって完全に流れ出るよう、押圧をゆるめることなく容器をゆっくりと引っくり返す。
その後、ユーザは、完全かつ均一にドレッシングがかかったサラダを得るため、容器を単に振り動かせばよい。この作業が終わった後、外側のフィルムＡ（図８にわかりやすく示されている）を取り外す。
【００６７】
以上の説明から、梱包、輸送および販売作業の間に調味料／ドレッシングのための収容室３ａを封止しているフィルム１４ｃを誤って突き破ってしまうことが無いよう、安全な間隔（両矢印Ｆで示されている）が必要であることは当然である。 この安全な間隔（両矢印Ｆで示されている）については、その機能は明らかにしなかったもののすでに説明している。
【００６８】
再び図１１および１２を参照するが、完璧を期すためには、実地試験の結果、密封フィルム１４ｃを突き破るために用いる押し棒１４ａの側面に小さな通路を設けることにより、収容室３ａからの調味料／ドレッシングの流出が促進されたということに触れておかねばならない。
したがって、押し棒１４ａの側面には、それぞれが押し棒１４ａの上端まで延びる半円柱形の縦方向の通路をもたらすように、押し棒の直径を挟んで向かい合う面に凹部が設けられ（刻みがつけられ）ており、この押し棒１４ａの上端は、容易にフィルム１４ｃを突き破れるように斜めにされている。
【００６９】
図１１において、矢印Ｐはフィルム１４ｃを突き破った後の空気の通り道（収容室３ａ内へと向かう）を示し（図１２参照）、矢印Ｑは収容室３ａから流れだし近傍の収容室２ａへと達する調味料／ドレッシングなどの通り道を示す。
【００７０】
本発明の利点は、当業者であれば明らかである。
【００７１】
実際、本発明のパッケージは食品を食べる直前に開封すればよく、本発明の機構により完璧なドレッシングかけが保証される。
【００７２】
本発明を、わずかに異なる−しかしながら具体的な−実施の形態について広く説明したが、当業者であれば、この文書によって与えられる保護の範囲を外れることなく、いくつかの構造変更を容易に考えつくことができるであろう。
【００７３】
本発明のパッケージの構造を、より複雑にすることもできる。例えば、容器は、フィルムＡのかわりに密封取り外しカバーを有してもよく、さらに／または、収容室３ａの底部１３に関連して摺動する摺動押し棒１４ａを有してもよい。
これらの変更はすべて、明らかにここで提案した解決策を理解した当業者であれば到達できる範囲内であり、それゆえ本発明に含まれるものと考えられるべきである。
【図１】
0004527975.tif 000002
【図２】
0004527975.tif 000003
【図３】
0004527975.tif 000004
【図４ａ】
0004527975.tif 000005
【図４ｂ】
0004527975.tif 000006
【図５】
0004527975.tif 000007
【図６】
0004527975.tif 000008
【図７】
0004527975.tif 000009
【図８】
0004527975.tif 000010
【図９】
0004527975.tif 000011
【図１０】
0004527975.tif 000012
【図１１】
0004527975.tif 000013
【図１２】
0004527975.tif 000014